【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
第１のメディアアクセス制御（ＭＡＣ）パケットのための物理（ＰＨＹ）レイヤヘッダを生成することと、
前記ＰＨＹレイヤにおいて生成された情報を、前記第１のＭＡＣパケットに応答して受信されるべき第２のＭＡＣパケットを処理する際に使用するためにＭＡＣレイヤに受け渡すことと、ここにおいて、
前記第１のＭＡＣパケットが第１のタイプである場合、巡回冗長検査（ＣＲＣ）値を生成するために使用された情報が前記ＭＡＣレイヤに受け渡され、または
前記第１のＭＡＣパケットが第２のタイプである場合、前記ＭＡＣパケットの１つまたは複数の部分をスクランブルするために使用された情報が前記ＭＡＣレイヤに受け渡される、
送信のための前記第１のＭＡＣパケットを出力し、前記第２のＭＡＣパケットを取得することと
を備える、ワイヤレス通信のための方法。
【請求項２】
前記情報が、前記第１のＭＡＣパケットの送信を確認する構造中で前記ＭＡＣレイヤに受け渡される、請求項１に記載の方法。
【請求項３】
前記情報が、前記第１のＭＡＣパケットの一部分のための巡回冗長検査（ＣＲＣ）値を生成するために使用された情報を備える、請求項１に記載の方法。
【請求項４】
前記情報が、前記第１のＭＡＣパケットのためのフレーム検査シーケンス（ＦＣＳ）値を生成するために使用された情報を備える、請求項１に記載の方法。
【請求項５】
第１のメディアアクセス制御（ＭＡＣ）パケットを取得することと、
前記第１のＭＡＣパケットの物理（ＰＨＹ）レイヤヘッダを処理することと、
前記ＰＨＹヘッダを処理することから導出された情報を、前記第１のＭＡＣパケットに応答して送信されるべき第２のＭＡＣパケットを生成する際に使用するためにＭＡＣレイヤに受け渡すことと、ここにおいて、
前記第１のＭＡＣパケットが第１のタイプである場合、巡回冗長検査（ＣＲＣ）値を生成するために使用された情報が前記ＭＡＣレイヤに受け渡され、または
前記第１のＭＡＣパケットが第２のタイプである場合、前記ＭＡＣパケットの１つまたは複数の部分をスクランブルするために使用された情報が前記ＭＡＣレイヤに受け渡される、
を備える、ワイヤレス通信のための方法。
【請求項６】
前記情報が、前記第１のＭＡＣパケットの受信を確認する構造中で前記ＭＡＣレイヤに受け渡される、請求項５に記載の方法。
【請求項７】
前記情報が、前記第１のＭＡＣパケットの一部分のための巡回冗長検査（ＣＲＣ）値を生成するために使用された情報を備える、請求項５に記載の方法。
【請求項８】
前記情報が、前記第１のＭＡＣパケットのためのフレーム検査シーケンス（ＦＣＳ）値を生成するために使用された情報を備える、請求項５に記載の方法。
【請求項９】
請求項１−８のうちのいずれか一項に記載の方法を実行するための命令を備えるコンピュータプログラム。
【請求項１０】
第１のメディアアクセス制御（ＭＡＣ）パケットのための物理レイヤ（ＰＨＹ）ヘッダを生成するための手段と、
前記ＰＨＹレイヤにおいて生成された情報を、前記第１のＭＡＣパケットに応答して受信されるべき第２のＭＡＣパケットを処理する際に使用するためにＭＡＣレイヤに受け渡すための手段と、ここにおいて、
前記第１のＭＡＣパケットが第１のタイプである場合、巡回冗長検査（ＣＲＣ）値を生成するために使用された情報が前記ＭＡＣレイヤに受け渡され、または
前記第１のＭＡＣパケットが第２のタイプである場合、前記第１のＭＡＣパケットの１つまたは複数の部分をスクランブルするために使用された情報が前記ＭＡＣレイヤに受け渡される、
送信のための前記第１のＭＡＣパケットを出力し、前記第２のＭＡＣパケットを取得するための手段と
を備える、ワイヤレス通信のための装置。
【請求項１１】
前記情報が、前記第１のＭＡＣパケットの送信を確認する構造中で前記ＭＡＣレイヤに受け渡される、請求項１０に記載の装置。
【請求項１２】
前記情報が、前記第１のＭＡＣパケットの一部分のための巡回冗長検査（ＣＲＣ）値を生成するために使用された情報を備える、請求項１０に記載の装置。
【請求項１３】
第１のメディアアクセス制御（ＭＡＣ）パケットを取得するための手段と、
前記第１のＭＡＣパケットの物理（ＰＨＹ）レイヤヘッダを処理するための手段と、
前記ＰＨＹヘッダを処理することから導出された情報を、前記第１のＭＡＣパケットに応答して送信されるべき第２のＭＡＣパケットを生成する際に使用するためにＭＡＣレイヤに受け渡すための手段と、ここにおいて、
前記第１のＭＡＣパケットが第１のタイプである場合、巡回冗長検査（ＣＲＣ）値を生成するために使用された情報が前記ＭＡＣレイヤに受け渡され、または
前記第１のＭＡＣパケットが第２のタイプである場合、前記第１のＭＡＣパケットの１つまたは複数の部分をスクランブルするために使用された情報が前記ＭＡＣレイヤに受け渡される、
を備える、ワイヤレス通信のための装置。
【請求項１４】
前記情報が、前記第１のＭＡＣパケットの受信を確認する構造中で前記ＭＡＣレイヤに受け渡される、請求項１３に記載の装置。
【請求項１５】
前記情報が、前記第１のＭＡＣパケットの一部分のための巡回冗長検査（ＣＲＣ）値を生成するために使用された情報を備える、請求項１３に記載の装置。
【手続補正２】
【補正対象書類名】明細書
【補正対象項目名】００７８
【補正方法】変更
【補正の内容】
【００７８】
[0089]特許請求の範囲は、上記で示した厳密な構成および構成要素に限定されないことを理解されたい。上記で説明した方法および装置の構成、動作および詳細において、特許請求の範囲から逸脱することなく、様々な改変、変更および変形が行われ得る。
以下に本願の出願当初の特許請求の範囲に記載された発明を付記する。
［Ｃ１］
第１のメディアアクセス制御（ＭＡＣ）パケットのための物理（ＰＨＹ）レイヤヘッダを生成し、前記ＰＨＹレイヤにおいて生成された情報を、前記第１のＭＡＣパケットに応答して受信されるべき第２のＭＡＣパケットを処理する際に使用するためにＭＡＣレイヤに受け渡すように構成された処理システムと、
送信のための前記第１のＭＡＣパケットを出力し、前記第２のＭＡＣパケットを取得するためのインターフェースと
を備える、ワイヤレス通信のための装置。
［Ｃ２］
前記情報が、前記第１のＭＡＣパケットの送信を確認する構造中で前記ＭＡＣレイヤに受け渡される、Ｃ１に記載の装置。
［Ｃ３］
前記情報が、前記第１のＭＡＣパケットの一部分のための巡回冗長検査（ＣＲＣ）値を生成するために使用された情報を備える、Ｃ１に記載の装置。
［Ｃ４］
前記第１のＭＡＣパケットの前記一部分が前記ＰＨＹヘッダの信号（ＳＩＧ）フィールドを備える、Ｃ３に記載の装置。
［Ｃ５］
前記情報が、前記第１のＭＡＣパケットのためのフレーム検査シーケンス（ＦＣＳ）値を生成するために使用された情報を備える、Ｃ１に記載の装置。
［Ｃ６］
前記情報が、前記第１のＭＡＣパケットの１つまたは複数の部分をスクランブルするために使用された情報を備える、Ｃ１に記載の装置。
［Ｃ７］
前記第１のＭＡＣパケットの前記１つまたは複数の部分をスクランブルするために使用された前記情報が前記第１のＭＡＣパケットのサービスフィールド中に含まれる、Ｃ６に記載の装置。
［Ｃ８］
前記ＭＡＣレイヤに受け渡される前記情報のタイプが前記第１のＭＡＣパケットのタイプに依存する、Ｃ１に記載の装置。
［Ｃ９］
前記第１のＭＡＣパケットが第１のタイプである場合、巡回冗長検査（ＣＲＣ）値を生成するために使用された情報が前記ＭＡＣレイヤに受け渡され、または
前記第１のＭＡＣパケットが第２のタイプである場合、前記第１のＭＡＣパケットの１つまたは複数の部分をスクランブルするために使用された情報が前記ＭＡＣレイヤに受け渡される、
Ｃ１に記載の装置。
［Ｃ１０］
前記ＭＡＣレイヤは、前記第２のＭＡＣパケットが前記第１のＭＡＣパケットに応答して受信されたかどうかを決定するために前記情報を使用する、Ｃ１に記載の装置。
［Ｃ１１］
第１のメディアアクセス制御（ＭＡＣ）パケットを取得するためのインターフェースと、
前記第１のＭＡＣパケットの物理（ＰＨＹ）レイヤヘッダを処理し、前記ＰＨＹヘッダを処理することから導出された情報を、前記第１のＭＡＣパケットに応答して送信されるべき第２のＭＡＣパケットを生成する際に使用するためにＭＡＣレイヤに受け渡すように構成された処理システムと
を備える、ワイヤレス通信のための装置。
［Ｃ１２］
前記情報が、前記第１のＭＡＣパケットの受信を確認する構造中で前記ＭＡＣレイヤに受け渡される、Ｃ１１に記載の装置。
［Ｃ１３］
前記情報が、前記第１のＭＡＣパケットの一部分のための巡回冗長検査（ＣＲＣ）値を生成するために使用された情報を備える、Ｃ１１に記載の装置。
［Ｃ１４］
前記第１のＭＡＣパケットの前記一部分が前記ＰＨＹヘッダの信号（ＳＩＧ）フィールドを備える、Ｃ１３に記載の装置。
［Ｃ１５］
前記情報が、前記第１のＭＡＣパケットのためのフレーム検査シーケンス（ＦＣＳ）値を生成するために使用された情報を備える、Ｃ１１に記載の装置。
［Ｃ１６］
前記情報が、前記第１のＭＡＣパケットの１つまたは複数の部分をスクランブルするために使用された情報を備える、Ｃ１１に記載の装置。
［Ｃ１７］
前記第１のＭＡＣパケットの前記１つまたは複数の部分をスクランブルするために使用された前記情報が前記第１のＭＡＣパケットのサービスフィールド中に含まれる、Ｃ１６に記載の装置。
［Ｃ１８］
前記ＭＡＣレイヤに受け渡される前記情報のタイプが前記第１のＭＡＣパケットのタイプに依存する、Ｃ１１に記載の装置。
［Ｃ１９］
前記第１のＭＡＣパケットが第１のタイプである場合、巡回冗長検査（ＣＲＣ）値を生成するために使用された情報が前記ＭＡＣレイヤに受け渡され、または
前記第１のＭＡＣパケットが第２のタイプである場合、前記第１のＭＡＣパケットの１つまたは複数の部分をスクランブルするために使用された情報が前記ＭＡＣレイヤに受け渡される、
Ｃ１１に記載の装置。
［Ｃ２０］
前記ＭＡＣレイヤは、前記第２のＭＡＣパケットが前記第１のＭＡＣパケットに応答して生成されたという指示として前記第２のＭＡＣパケットのためのフレーム識別子を生成するために前記情報を使用する、Ｃ１１に記載の装置。
［Ｃ２１］
第１のメディアアクセス制御（ＭＡＣ）パケットのための物理（ＰＨＹ）レイヤヘッダを生成することと、
前記ＰＨＹレイヤにおいて生成された情報を、前記第１のＭＡＣパケットに応答して受信されるべき第２のＭＡＣパケットを処理する際に使用するためにＭＡＣレイヤに受け渡すことと、
送信のための前記第１のＭＡＣパケットを出力し、前記第２のＭＡＣパケットを取得することと
を備える、ワイヤレス通信のための方法。
［Ｃ２２］
前記情報が、前記第１のＭＡＣパケットの送信を確認する構造中で前記ＭＡＣレイヤに受け渡される、Ｃ２１に記載の方法。
［Ｃ２３］
前記情報が、前記第１のＭＡＣパケットの一部分のための巡回冗長検査（ＣＲＣ）値を生成するために使用された情報を備える、Ｃ２１に記載の方法。
［Ｃ２４］
前記第１のＭＡＣパケットの前記一部分が前記ＰＨＹヘッダの信号（ＳＩＧ）フィールドを備える、Ｃ２３に記載の方法。
［Ｃ２５］
前記情報が、前記第１のＭＡＣパケットのためのフレーム検査シーケンス（ＦＣＳ）値を生成するために使用された情報を備える、Ｃ２１に記載の方法。
［Ｃ２６］
前記情報が、前記第１のＭＡＣパケットの１つまたは複数の部分をスクランブルするために使用された情報を備える、Ｃ２１に記載の方法。
［Ｃ２７］
前記第１のＭＡＣパケットの前記１つまたは複数の部分をスクランブルするために使用された前記情報が前記第１のＭＡＣパケットのサービスフィールド中に含まれる、Ｃ２６に記載の方法。
［Ｃ２８］
前記ＭＡＣレイヤに受け渡される前記情報のタイプが前記第１のＭＡＣパケットのタイプに依存する、Ｃ２１に記載の方法。
［Ｃ２９］
前記第１のＭＡＣパケットが第１のタイプである場合、巡回冗長検査（ＣＲＣ）値を生成するために使用された情報が前記ＭＡＣレイヤに受け渡され、または
前記第１のＭＡＣパケットが第２のタイプである場合、前記ＭＡＣパケットの１つまたは複数の部分をスクランブルするために使用された情報が前記ＭＡＣレイヤに受け渡される、
Ｃ２１に記載の方法。
［Ｃ３０］
前記ＭＡＣレイヤは、前記第２のＭＡＣパケットが前記第１のＭＡＣパケットに応答して受信されたかどうかを決定するために前記情報を使用する、Ｃ２１に記載の方法。
［Ｃ３１］
第１のメディアアクセス制御（ＭＡＣ）パケットを取得することと、
前記第１のＭＡＣパケットの物理（ＰＨＹ）レイヤヘッダを処理することと、
前記ＰＨＹヘッダを処理することから導出された情報を、前記第１のＭＡＣパケットに応答して送信されるべき第２のＭＡＣパケットを生成する際に使用するためにＭＡＣレイヤに受け渡すことと
を備える、ワイヤレス通信のための方法。
［Ｃ３２］
前記情報が、前記第１のＭＡＣパケットの受信を確認する構造中で前記ＭＡＣレイヤに受け渡される、Ｃ３１に記載の方法。
［Ｃ３３］
前記情報が、前記第１のＭＡＣパケットの一部分のための巡回冗長検査（ＣＲＣ）値を生成するために使用された情報を備える、Ｃ３１に記載の方法。
［Ｃ３４］
前記第１のＭＡＣパケットの前記一部分が前記ＰＨＹヘッダの信号（ＳＩＧ）フィールドを備える、Ｃ３３に記載の方法。
［Ｃ３５］
前記情報が、前記第１のＭＡＣパケットのためのフレーム検査シーケンス（ＦＣＳ）値を生成するために使用された情報を備える、Ｃ３１に記載の方法。
［Ｃ３６］
前記情報が、前記第１のＭＡＣパケットの１つまたは複数の部分をスクランブルするために使用された情報を備える、Ｃ３１に記載の方法。
［Ｃ３７］
前記第１のＭＡＣパケットの前記１つまたは複数の部分をスクランブルするために使用された前記情報が前記第１のＭＡＣパケットのサービスフィールド中に含まれる、Ｃ３６に記載の方法。
［Ｃ３８］
前記ＭＡＣレイヤに受け渡される前記情報のタイプが前記第１のＭＡＣパケットのタイプに依存する、Ｃ３１に記載の方法。
［Ｃ３９］
前記第１のＭＡＣパケットが第１のタイプである場合、巡回冗長検査（ＣＲＣ）値を生成するために使用された情報が前記ＭＡＣレイヤに受け渡され、または
前記第１のＭＡＣパケットが第２のタイプである場合、前記ＭＡＣパケットの１つまたは複数の部分をスクランブルするために使用された情報が前記ＭＡＣレイヤに受け渡される、
Ｃ３１に記載の方法。
［Ｃ４０］
前記ＭＡＣレイヤは、前記第２のＭＡＣパケットが前記第１のＭＡＣパケットに応答して生成されたという指示として前記第２のＭＡＣパケットのためのフレーム識別子を生成するために前記情報を使用する、Ｃ３１に記載の方法。
［Ｃ４１］
第１のメディアアクセス制御（ＭＡＣ）パケットのための物理レイヤ（ＰＨＹ）ヘッダを生成するための手段と、
前記ＰＨＹレイヤにおいて生成された情報を、前記第１のＭＡＣパケットに応答して受信されるべき第２のＭＡＣパケットを処理する際に使用するためにＭＡＣレイヤに受け渡すための手段と、
送信のための前記第１のＭＡＣパケットを出力し、前記第２のＭＡＣパケットを取得するための手段と
を備える、ワイヤレス通信のための装置。
［Ｃ４２］
前記情報が、前記第１のＭＡＣパケットの送信を確認する構造中で前記ＭＡＣレイヤに受け渡される、Ｃ４１に記載の装置。
［Ｃ４３］
前記情報が、前記第１のＭＡＣパケットの一部分のための巡回冗長検査（ＣＲＣ）値を生成するために使用された情報を備える、Ｃ４１に記載の装置。
［Ｃ４４］
前記第１のＭＡＣパケットの前記一部分が前記ＰＨＹヘッダの信号（ＳＩＧ）フィールドを備える、Ｃ４３に記載の装置。
［Ｃ４５］
前記情報が、前記第１のＭＡＣパケットのためのフレーム検査シーケンス（ＦＣＳ）値を生成するために使用された情報を備える、Ｃ４１に記載の装置。
［Ｃ４６］
前記情報が、前記第１のＭＡＣパケットの１つまたは複数の部分をスクランブルするために使用された情報を備える、Ｃ４１に記載の装置。
［Ｃ４７］
前記第１のＭＡＣパケットの前記１つまたは複数の部分をスクランブルするために使用された前記情報が前記第１のＭＡＣパケットのサービスフィールド中に含まれる、Ｃ４６に記載の装置。
［Ｃ４８］
前記ＭＡＣレイヤに受け渡される前記情報のタイプが前記第１のＭＡＣパケットのタイプに依存する、Ｃ４１に記載の装置。
［Ｃ４９］
前記第１のＭＡＣパケットが第１のタイプである場合、巡回冗長検査（ＣＲＣ）値を生成するために使用された情報が前記ＭＡＣレイヤに受け渡され、または
前記第１のＭＡＣパケットが第２のタイプである場合、前記第１のＭＡＣパケットの１つまたは複数の部分をスクランブルするために使用された情報が前記ＭＡＣレイヤに受け渡される、
Ｃ４１に記載の装置。
［Ｃ５０］
前記ＭＡＣレイヤは、前記第２のＭＡＣパケットが前記第１のＭＡＣパケットに応答して受信されたかどうかを決定するために前記情報を使用する、Ｃ４１に記載の装置。
［Ｃ５１］
第１のメディアアクセス制御（ＭＡＣ）パケットを取得するための手段と、
前記第１のＭＡＣパケットの物理（ＰＨＹ）レイヤヘッダを処理するための手段と、
前記ＰＨＹヘッダを処理することから導出された情報を、前記第１のＭＡＣパケットに応答して送信されるべき第２のＭＡＣパケットを生成する際に使用するためにＭＡＣレイヤに受け渡すための手段と
を備える、ワイヤレス通信のための装置。
［Ｃ５２］
前記情報が、前記第１のＭＡＣパケットの受信を確認する構造中で前記ＭＡＣレイヤに受け渡される、Ｃ５１に記載の装置。
［Ｃ５３］
前記情報が、前記第１のＭＡＣパケットの一部分のための巡回冗長検査（ＣＲＣ）値を生成するために使用された情報を備える、Ｃ５１に記載の装置。
［Ｃ５４］
前記第１のＭＡＣパケットの前記一部分が前記ＰＨＹヘッダの信号（ＳＩＧ）フィールドを備える、Ｃ５３に記載の装置。
［Ｃ５５］
前記情報が、前記第１のＭＡＣパケットのためのフレーム検査シーケンス（ＦＣＳ）値を生成するために使用された情報を備える、Ｃ５１に記載の装置。
［Ｃ５６］
前記情報が、前記第１のＭＡＣパケットの１つまたは複数の部分をスクランブルするために使用された情報を備える、Ｃ５１に記載の装置。
［Ｃ５７］
前記第１のＭＡＣパケットの前記１つまたは複数の部分をスクランブルするために使用された前記情報が前記第１のＭＡＣパケットのサービスフィールド中に含まれる、Ｃ５６に記載の装置。
［Ｃ５８］
前記ＭＡＣレイヤに受け渡される前記情報のタイプが前記第１のＭＡＣパケットのタイプに依存する、Ｃ５１に記載の装置。
［Ｃ５９］
前記第１のＭＡＣパケットが第１のタイプである場合、巡回冗長検査（ＣＲＣ）値を生成するために使用された情報が前記ＭＡＣレイヤに受け渡され、または
前記第１のＭＡＣパケットが第２のタイプである場合、前記第１のＭＡＣパケットの１つまたは複数の部分をスクランブルするために使用された情報が前記ＭＡＣレイヤに受け渡される、
Ｃ５１に記載の装置。
［Ｃ６０］
前記ＭＡＣレイヤは、前記第２のＭＡＣパケットが前記第１のＭＡＣパケットに応答して生成されたという指示として前記第２のＭＡＣパケットのためのフレーム識別子を生成するために前記情報を使用する、Ｃ５１に記載の装置。
［Ｃ６１］
少なくとも１つのアンテナと、
第１のメディアアクセス制御（ＭＡＣ）パケットのための物理（ＰＨＹ）レイヤヘッダを生成し、前記ＰＨＹレイヤにおいて生成された情報を、前記第１のＭＡＣパケットに応答して受信されるべき第２のＭＡＣパケットを処理する際に使用するためにＭＡＣレイヤに受け渡すように構成された処理システムと、
前記少なくとも１つのアンテナを介して、送信のための前記第１のＭＡＣパケットを送信し、前記第２のＭＡＣパケットを受信するためのトランシーバと
を備える、ワイヤレス局。
［Ｃ６２］
少なくとも１つのアンテナと、
前記少なくとも１つのアンテナを介して第１のメディアアクセス制御（ＭＡＣ）パケットを受信するための受信機と、
前記第１のＭＡＣパケットの物理（ＰＨＹ）レイヤヘッダを処理し、前記ＰＨＹヘッダを処理することから導出された情報を、前記第１のＭＡＣパケットに応答して送信されるべき第２のＭＡＣパケットを生成する際に使用するためにＭＡＣレイヤに受け渡すように構成された処理システムと
を備える、ワイヤレス局。
［Ｃ６３］
第１のメディアアクセス制御（ＭＡＣ）パケットのための物理（ＰＨＹ）レイヤヘッダを生成することと、
前記ＰＨＹレイヤにおいて生成された情報を、前記第１のＭＡＣパケットに応答して受信されるべき第２のＭＡＣパケットを処理する際に使用するためにＭＡＣレイヤに受け渡すことと、
送信のための前記第１のＭＡＣパケットを出力し、前記第２のＭＡＣパケットを取得することと
を行うための命令を記憶した、コンピュータ可読媒体を備えるワイヤレス通信のためのコンピュータプログラム製品。
［Ｃ６４］
第１のメディアアクセス制御（ＭＡＣ）パケットを取得することと、
前記第１のＭＡＣパケットの物理（ＰＨＹ）レイヤヘッダを処理することと、
前記ＰＨＹヘッダを処理することから導出された情報を、前記第１のＭＡＣパケットに応答して送信されるべき第２のＭＡＣパケットを生成する際に使用するためにＭＡＣレイヤに受け渡すことと
を行うための命令を記憶した、コンピュータ可読媒体を備えるワイヤレス通信のためのコンピュータプログラム製品。